(57)【要約】【課題】画像形成装置において、給紙時に高負荷がかかっても給紙トレイが開状態から回動しないようにし、確実に記録紙を給紙可能にする。【解決手段】画像形成装置１の給紙トレイ２は、記録紙Ｐの基準位置となる位置決め部２ａと、記録紙Ｐを位置決め部２ａとの間で位置決めするための位置決め片を有するガイド部材２３と、ガイド部材２３を位置決め部２ａに向け付勢するばね２４とを有しており、筐体６の開口部６ａを開閉するように回動自在に設けられている。ガイド部材２３には、開口部６ａの内側面に向け突接された差込突起２３ｂが形成されており、開口部６ａの内側面のうち差込突起２３ｂと対向する部位には嵌入孔６ｂが形成されている。給紙トレイ２に記録紙Ｐが装填された状態では、ガイド部材２３が嵌入孔６ｂ側にスライドして差込突起２３ｂの先端部が嵌入孔６ｂに嵌入しており、給紙トレイ２が回動不能にロックされる。【選択図】図５
2008105807.tif 000002
【特許請求の範囲】
【請求項１】
背面側に開口部を有する筐体と、
前記筐体内部に配置されたフィードモータと、
前記筐体の背面側に前記開口部を開閉可能に、回動軸が略水平となるように回動自在に設けられ、前記開口部を露出させる開状態のときに記録紙を装填可能である給紙トレイと、
前記給紙トレイに軸支されており、装填された記録紙に当接し前記フィードモータによる駆動力が伝達されて回動し、その記録紙を前記筐体内部に給紙する給紙ローラと、
前記フィードモータにより駆動される搬送ローラを有し、前記給紙トレイから給紙された記録紙を前記筐体内部で搬送する搬送機構と、
前記搬送機構により搬送されている記録紙の上に画像を形成する画像形成手段と、
前記搬送機構により搬送され前記筐体外部に排出された記録紙を受け止め保持する排紙トレイとを備え、
前記給紙トレイは、
記録紙の給紙方向に沿って立設され、装填された記録紙の給紙方向側端部の一方を位置決めし、給紙される記録紙の基準位置となる位置決め部と、
前記給紙ローラの回動軸方向にスライド自在に配置され、装填された記録紙の給紙方向側端部の他方を位置決めするガイド部材と、
記録紙が前記ガイド部材を前記位置決め部に向け付勢するばねとを有している画像形成装置であって、
前記ガイド部材は、前記給紙トレイが開状態のときに前記開口部の前記基準位置側とは反対側の内側面に向くように突設された差込突起を有しており、
前記開口部のうち、前記基準位置側とは反対側の内側面には、前記給紙トレイが開状態のときに前記差込突起に対向するように形成された嵌入孔が設けられており、
前記給紙トレイが開状態のとき、
前記給紙トレイに記録紙が装填されていない状態では、前記ガイド部材が前記ばねにより付勢されて前記位置決め部側に位置しており、前記差込突起は前記嵌入孔から離れており、前記給紙トレイを回動させ開閉することが可能であり、
前記給紙トレイへの記録紙の装填時に、前記記録紙が前記位置決め部と前記ガイド部材とにより位置決めされるように、前記ガイド部材を前記基準位置とは反対側に向けてスライドさせたとき、前記嵌入孔に前記差込突起の先端部が嵌入し、
それにより、前記給紙トレイに記録紙が装填されている状態では、前記給紙トレイが回動しないようにロックされ、記録紙の給紙動作時に前記給紙トレイに高負荷がかかっても、前記給紙トレイが開状態から回動しないように構成されていることを特徴とする画像形成装置。
【請求項２】
開口部を有する筐体と、
前記筐体内部に配置されたモータと、
前記筐体の背面側に前記開口部を開閉可能に回動自在に設けられ、前記開口部を露出させる開状態のときに記録紙を装填可能である給紙トレイと、
前記給紙トレイに軸支されており、装填された記録紙に当接し前記モータによる駆動力が伝達されて回動し、その記録紙を前記筐体内部に給紙する給紙ローラと、
前記給紙トレイから給紙された記録紙を前記筐体内部で搬送する搬送機構と、
前記搬送機構により搬送されている記録紙の上に画像を形成する画像形成手段と、
前記搬送機構により搬送され前記筐体外部に排出された記録紙を受け止め保持する排紙トレイとを備え、
前記給紙トレイは、記録紙の給紙方向に略直交する方向に変位可能に配置され、装填された記録紙の給紙方向側端部を位置決め可能なガイド部材を有している画像形成装置であって、
前記ガイド部材は、前記給紙トレイが開状態のときに前記開口部の内側面に向くように突設された係合部を有しており、
前記開口部の内側面には、前記給紙トレイが開状態のときに前記係合部に対向するように形成された被係合部が設けられており、
前記給紙トレイが開状態のとき、前記ガイド部材が前記給紙トレイに装填される記録紙の位置決め位置にある状態で、前記係合部が前記被係合部に係合することにより、前記給紙トレイが回動しないようにロックされるように構成されていることを特徴とする画像形成装置。
【請求項３】
前記給紙トレイは、前記ガイド部材を前記給紙トレイに装填される記録紙を位置決めするように付勢するばねをさらに備え、
前記記録紙ユニットに記録紙が装填されていないときには、前記ガイド部材が前記ばねにより付勢されて前記係合部が前記被係合部から離れるように変位され、前記給紙トレイのロックが解除されるように構成されていることを特徴とする請求項２に記載の画像形成装置。
【発明の詳細な説明】
【技術分野】
【０００１】
本発明は、給紙トレイに装填された記録紙に画像を形成する機能を有する画像形成装置に関し、特に筐体に開閉可能に設けられた給紙トレイを開いた状態で記録紙が装填されるものに関する。
【背景技術】
【０００２】
従来より、画像形成装置のうち特に小型のものにおいては、使用しないときの収納スペースを小さくしたり、持ち運びしやすくするために、記録紙が装填される給紙トレイを筐体に回動自在に軸支させて開閉可能に設け、記録紙に画像を形成する時にだけ給紙トレイを開状態にするものが知られている。このような画像形成装置としては、例えば、装置をより小型化するため等の目的で、装填された記録紙を給紙する給紙ローラが給紙トレイに軸支されており、この給紙ローラが筐体内部に配置されたフィードモータによる駆動力が伝達されて駆動されるように構成されているものがある。給紙ローラは、例えば、フィードモータから、複数の歯車や伝達ベルト等の伝達経路を介して駆動力が伝達されるように構成されており、これにより、給紙ローラが給紙トレイに軸支されていても、給紙トレイが開閉可能になるように構成されている。
【０００３】
ところで、例えば、厚めの記録紙を給紙するときや、いわゆるコシが強い記録紙を湾曲した給紙経路を沿わせて給紙するとき等には、給紙するための負荷が大きくなるため、給紙ローラを駆動させるためのトルクを大きくする必要がある。このとき、上記のような構成の画像形成装置において、給紙ローラを駆動させるために作用する力に対する反作用の力が、フィードモータから給紙ローラまでの駆動力の伝達経路中に作用すると、給紙トレイの回動軸周りに、給紙トレイを回動させるモーメントが発生する。給紙動作中に、負荷が大きく、給紙トレイが閉じる方向に回動し、給紙トレイの姿勢が変化すると、記録紙の給紙トレイから筐体内部へ向けての給紙経路が変わって記録紙が給紙できなくなったり、装填されている記録紙が給紙トレイと筐体との間で挟まれて記録紙が傷んでしまったりすることがある。
【０００４】
ここで、特許文献１には、給紙トレイを開く動作に連動して、用紙供給搬送路に対するガイド板の角度が小さく変化するように構成され、厚紙や板紙等のコシの強い用紙でも無理なく給紙できるようにした画像形成装置が示されている。また、特許文献２には、画像形成装置において、凹部により所定の開放位置に位置決めされた開閉式の用紙トレイの上部に荷重が付加された場合に、用紙トレイの凹部を支点とする回動を規制するアーム部を設けた構造が示されている。用紙トレイに所定の荷重以上の負荷が加わったときには、アーム部が用紙トレイの回動を許容し、用紙トレイが脱落するように構成されている。しかしながら、これらの特許文献１及び特許文献２には、上記のような、給紙時の負荷に対して給紙トレイが閉じてしまうという問題に対する解決策は示されていない。
【特許文献１】特開２００５‐１８７１３５号公報
【特許文献２】特開平７‐３０９４５４号公報
【発明の開示】
【発明が解決しようとする課題】
【０００５】
本発明は、上記問題点を鑑みてなされたものであり、給紙時に高負荷がかかっても給紙トレイが開状態から回動せず、確実に記録紙を給紙可能である画像形成装置を提供することを目的とする。
【課題を解決するための手段】
【０００６】
上記目的を達成するため、請求項１の発明は、背面側に開口部を有する筐体と、前記筐体内部に配置されたフィードモータと、前記筐体の背面側に前記開口部を開閉可能に、回動軸が略水平となるように回動自在に設けられ、前記開口部を露出させる開状態のときに記録紙を装填可能である給紙トレイと、前記給紙トレイに軸支されており、装填された記録紙に当接し前記フィードモータによる駆動力が伝達されて回動し、その記録紙を前記筐体内部に給紙する給紙ローラと、前記フィードモータにより駆動される搬送ローラを有し、前記給紙トレイから給紙された記録紙を前記筐体内部で搬送する搬送機構と、前記搬送機構により搬送されている記録紙の上に画像を形成する画像形成手段と、前記搬送機構により搬送され前記筐体外部に排出された記録紙を受け止め保持する排紙トレイとを備え、前記給紙トレイは、記録紙の給紙方向に沿って立設され、装填された記録紙の給紙方向側端部の一方を位置決めし、給紙される記録紙の基準位置となる位置決め部と、前記給紙ローラの回動軸方向にスライド自在に配置され、装填された記録紙の給紙方向側端部の他方を位置決めするガイド部材と、記録紙が前記ガイド部材を前記位置決め部に向け付勢するばねとを有している画像形成装置であって、前記ガイド部材は、前記給紙トレイが開状態のときに前記開口部の前記基準位置側とは反対側の内側面に向くように突設された差込突起を有しており、前記開口部のうち、前記基準位置側とは反対側の内側面には、前記給紙トレイが開状態のときに前記差込突起に対向するように形成された嵌入孔が設けられており、前記給紙トレイが開状態のとき、前記給紙トレイに記録紙が装填されていない状態では、前記ガイド部材が前記ばねにより付勢されて前記位置決め部側に位置しており、前記差込突起は前記嵌入孔から離れており、前記給紙トレイを回動させ開閉することが可能であり、前記給紙トレイへの記録紙の装填時に、前記記録紙が前記位置決め部と前記ガイド部材とにより位置決めされるように、前記ガイド部材を前記基準位置とは反対側に向けてスライドさせたとき、前記嵌入孔に前記差込突起の先端部が嵌入し、それにより、前記給紙トレイに記録紙が装填されている状態では、前記給紙トレイが回動しないようにロックされ、記録紙の給紙動作時に前記給紙トレイに高負荷がかかっても、前記給紙トレイが開状態から回動しないように構成されているものである。
【０００７】
請求項２の発明は、開口部を有する筐体と、前記筐体内部に配置されたモータと、前記筐体の背面側に前記開口部を開閉可能に回動自在に設けられ、前記開口部を露出させる開状態のときに記録紙を装填可能である給紙トレイと、前記給紙トレイに軸支されており、装填された記録紙に当接し前記モータによる駆動力が伝達されて回動し、記録紙を前記筐体内部に給紙する給紙ローラと、前記給紙トレイから給紙された記録紙を前記筐体内部で搬送する搬送機構と、前記搬送機構により搬送されている記録紙の上に画像を形成する画像形成手段と、前記搬送機構により搬送され前記筐体外部に排出された記録紙を受け止め保持する排紙トレイとを備え、前記給紙トレイは、記録紙の給紙方向に略直交する方向に変位可能に配置され、装填された記録紙の給紙方向側端部を位置決め可能なガイド部材を有している画像形成装置であって、前記ガイド部材は、前記給紙トレイが開状態のときに前記開口部の内側面に向くように突設された係合部を有しており、前記開口部の内側面には、前記給紙トレイが開状態のときに前記係合部に対向するように形成された被係合部が設けられており、前記給紙トレイが開状態のとき、前記ガイド部材が前記給紙トレイに装填される記録紙の位置決め位置にある状態で、前記係合部が前記被係合部に係合することにより、前記給紙トレイが回動しないようにロックされるように構成されているものである。
【０００８】
請求項３の発明は、請求項２の発明において、前記給紙トレイは、前記ガイド部材を前記給紙トレイに装填される記録紙を位置決めするように付勢するばねをさらに備え、前記記録紙ユニットに記録紙が装填されていないときには、前記ガイド部材が前記ばねにより付勢されて前記係合部が前記被係合部から離れるように変位され、前記給紙トレイのロックが解除されるように構成されているものである。
【発明の効果】
【０００９】
請求項１の発明によれば、給紙トレイに記録紙が装填されている状態では、ガイド部材の差込突起が筐体側の嵌入孔に嵌入して給紙トレイが回動しないようにロックされる。従って、記録紙の給紙動作時に高負荷がかかっても、給紙トレイが開状態から回動せず、厚めでコシが強い記録紙等も確実に給紙可能になる。また、ガイド部材は、ばねにより付勢されており、記録紙がより確実に位置決めされるようになり、また、記録紙を給紙トレイから取り除いた状態では、差込突起が嵌入孔から離れて給紙トレイを回動可能になるので、画像形成装置を容易に収納することが可能になる。
【００１０】
請求項２の発明によれば、給紙トレイに記録紙を装填し、ガイド部材により位置決めした状態では、ガイド部材の係合部が筐体側の被係合部に係合し、給紙トレイが移動しないようにロックされる。従って、記録紙の給紙動作時に高負荷がかかっても、給紙トレイが開状態から回動せず、厚めでコシが強い記録紙等も確実に給紙可能になる。
【００１１】
請求項３の発明によれば、ガイド部材は、ばねにより付勢されており、記録紙がより確実に位置決めされるようになり、また、記録紙を給紙トレイから取り除いた状態では、係合部が被係合部から離れて給紙トレイを回動可能になるので、画像形成装置を容易に収納することが可能になる。
【発明を実施するための最良の形態】
【００１２】
以下、本発明の一実施形態に係る画像形成装置について、図面を参照しつつ説明する。図１及び図２は、本実施形態による画像形成装置の一例であるフォトプリンタ（以下、画像形成装置１と称する）の概略構成を示している。
【００１３】
画像形成装置１は、記録紙Ｐが装填され保持される給紙トレイ２と、給紙トレイ２から給紙された記録紙Ｐを搬送する搬送機構３と、搬送機構３によって搬送された記録紙Ｐに画像を形成する画像形成部（画像形成手段）４と、画像形成部４によって画像が形成され排出された記録紙Ｐを受け止める排紙トレイ５と、搬送機構３及び画像形成部４を収容する筐体６と、電子回路等で構成され搬送機構３及び画像形成部４の制御を行う制御部（図示せず）等で構成されている。
【００１４】
給紙トレイ２は、背面側から見て側縁部が略矩形形状となるように構成されており、筐体６の背面側に、給紙トレイ２下部で回動軸２１を中心として回動自在に設けられている。筐体６の背面には開口部６ａが設けられており、給紙トレイ２はこの開口部６ａを開閉するように取り付けられている。本実施形態において、給紙トレイ２が開口部６ａを露出させる開状態のときに、記録紙Ｐを装填可能になる。給紙トレイ２には、後述するように、装填された記録紙Ｐに当接して回動する給紙ローラ２５が取り付けられており、給紙ローラ２５が駆動されることにより、装填された記録紙Ｐが、給紙トレイ２の下部から開口部６ａを介して筐体６内部に給紙されるように構成されている。これにより、画像形成装置１を使用しないときには、ユーザの操作により、給紙トレイ２が開状態から回動されて閉状態にされ、画像形成装置１を省スペースに収納可能で、且つ、容易に運搬可能になるように構成されている。
【００１５】
搬送機構３は、給紙トレイ２から給紙された記録紙Ｐを画像形成部４による画像形成位置まで搬送する第１搬送機構３ａと、画像形成部４によって画像が形成された記録紙を排紙トレイ５に搬送する第２搬送機構３ｂと、第１搬送機構３ａと第２搬送機構３ｂ及び給紙トレイ２の給紙ローラ２５を駆動するためのフィードモータ３０等で構成される。第１搬送機構３ａは、画像形成部４のプリントヘッド４３よりも上流側に設けられ、給紙ローラ２５によって筐体６内部に給紙された記録紙Ｐをプリントヘッド４３の側に送出する搬送ローラ３２と、記録紙Ｐを搬送ローラ３２に押圧する押圧ローラ３３等によって構成されている。また、第２搬送機構３ｂは、画像が形成された記録紙Ｐを排紙トレイ５に搬送し排出する排紙ローラ３８と、記録紙Ｐを排紙ローラ３８に押圧するスターホイール３９等によって構成されている。本実施形態において、例えば、搬送ローラ３２と排紙ローラ３８とは、伝達ベルト３５により連動して回動するように構成されている。フィードモータ３０は、筐体６の背面側に配置されている。フィードモータ３０は、例えば歯車等を介して搬送ローラ３２と給紙ローラ２５とに動力を伝達可能に構成されている。フィードモータ３０から給紙ローラ２５への駆動力の伝達経路中には、例えば、フィードモータ３０の駆動方向が、搬送ローラ３２を正転させるときとは反対の逆転方向となるときに、互いに離れた２つの歯車に噛み合うように変位してその歯車を連動させるようにロッカーアームに取り付けられた歯車（図示せず）が配置されており、給紙ローラ２５を用いた給紙動作と搬送機構３を用いた記録紙Ｐの搬送動作を一つのフィードモータ３０で実現できるように構成されている。なお、搬送機構３の構成や給紙ローラ２５の駆動方式はこれに限られるものでなく、例えば、筐体６内部に配置された２つのモータをそれぞれ駆動することにより、搬送機構３と給紙ローラ２５とが独立して駆動され、記録紙Ｐを給紙及び搬送するように構成されていてもよい。
【００１６】
画像形成部４は、インクが充填されたインクカートリッジ４０と、インクカートリッジ４０を支持しながら、記録紙Ｐの搬送方向Ａ（副走査方向）に略直交する主走査方向に往復移動するキャリア４１と、キャリア４１を駆動するキャリア駆動モータ４２等によって構成されている。インクカートリッジ４０の下面には、記録紙Ｐにインクを吐出するプリントヘッド４３が設けられている。キャリア４１は、主走査方向に略平行に配設されたシャフト４４によって往復移動自在に支持され、キャリア駆動モータ４２に駆動されて移動する。キャリア駆動モータ４２の出力は、ベルト等を介してキャリア４１に伝達される。制御部の制御の下、フィードモータ３０及びキャリア駆動モータ４２の駆動に同期させてプリントヘッド４３からインクを吐出することにより、筐体６内部で搬送される記録紙Ｐに画像が形成される。
【００１７】
排紙トレイ５は、筐体６の下部に、筐体６から前方にスライドさせて引き出し可能に配置されている。画像形成装置１の使用時には、排紙トレイ５をスライドさせて図１に示すような使用位置に配置することにより、筐体６から排紙される記録紙を排紙トレイ５で受け止めて担持させることができるように構成されている。一方、画像形成装置１を使用しないときには、排紙トレイ５を筐体６の内部の収納位置に配置し、排紙トレイ５が筐体６の前面から外部に突出しない状態にすることにより、画像形成装置１の設置面積が小さくなるように、また、画像形成装置１を運搬しやすくなるように構成されている。
【００１８】
図１に示すように、筐体６の上面には、画像形成装置１を持ち運ぶ際に把持されるハンドル７が回動自在に設けられている。筐体６の側面には、例えば着脱可能なメモリが装着されるカード用コネクタ５２と、直接又はケーブルを介して、デジタルスチルカメラ等、他の電子機器が接続されるＵＳＢコネクタ５３等が配置されている。また、筐体６の上面には、例えば、プリントの開始及び停止、プリントする画像の選択やプリントする枚数を設定するためのキーパッド５５や、プリントする画像や動作状態等を表示する液晶パネル５６等が配置されている。筐体６の内部において、その上部には、上記制御部が実装され、カード用コネクタ５２、ＵＳＢコネクタ５３、キーパッド５５、及び液晶パネル５６等が接続された回路基板５１が水平にフレーム（図示せず）に保持されている。
【００１９】
次に、本実施形態における給紙トレイ２の構造についてさらに詳細に説明する。図３、図４、及び図５は、給紙トレイ２を示す。図３においては、説明のため、画像形成装置１の他の部位の図示は省略している。図３に示すように、給紙トレイ２の片側部には、給紙トレイ２の中央部から立設するように形成された位置決め部２ａが形成されている。この位置決め部２ａは、記録紙Ｐの給紙方向（図３に矢印Ｆで示す）に沿って立設されている。なお、位置決め部２ａの内部には、フィードモータ３０から給紙ローラ２５に駆動力を伝達するための歯車（図示せず）等が収納されている。給紙トレイ２の記録紙Ｐが装填される部位には、図に示すように、給紙トレイ２の表面から記録紙Ｐが装填されるだけの隙間を空けて、略水平方向に給紙トレイ２の両側部間に跨るように、支持軸２２が配設されている。給紙ローラ２５は、この支持軸２２を中心に回動可能に配置された腕部２２ａに軸支されており、装填される記録紙Ｐの枚数や厚みが変わっても、給紙ローラ２５がその記録紙Ｐの正面に当接するように構成されている。給紙ローラ２５は、支持軸２２の内部に配置された駆動軸（図示せず）と歯車等を介して連動するように構成されており、駆動軸がフィードモータ３０と連動して回動することにより、給紙ローラ２５が駆動し、記録紙Ｐを筐体６内部に給紙するように構成されている。
【００２０】
支持軸２２のうち、給紙トレイ２の位置決め部２ａとは反対側の側端部の近傍には、給紙ローラ２５の回動軸方向すなわち支持軸２２に沿う方向にスライド可能なガイド部材２３と、給紙トレイ２の側端部とガイド部材２３との間で圧縮されガイド部材２３を位置決め部２ａに向け付勢するばね２４とが取り付けられている。ガイド部材２３には、給紙トレイ２に装填される記録紙Ｐのうち位置決め部２ａ側とは反対の側端部を位置決めするように形成された位置決め片２３ａと、給紙トレイ２の位置決め部２ａとは反対側の側端部方向に向けて突出するように形成された差込突起（係合部）２３ｂとが一体に設けられている。ガイド部材２３は、ばね２４に付勢されていることにより、給紙トレイ２に記録紙Ｐが装填されていない場合、図４に示すように、位置決め片２３ａと位置決め部２ａとの間隔が、給紙トレイ２に装填される記録紙Ｐの幅寸法よりも小さくなるように構成されている。給紙トレイ２に記録紙Ｐを装填するときには、ばね２４を圧縮させながら、ガイド部材２３を位置決め部２ａから離れる方向にスライドさせ、位置決め片２３ａと位置決め部２ａとの間隔を記録紙Ｐの幅寸法よりも大きくした後に、位置決め片２３ａと位置決め部２ａとの間に記録紙Ｐを配置する。そして、ばね２４の付勢力により、記録紙Ｐの両側端部が位置決め片２３ａと位置決め部２ａとにそれぞれ当接して位置決めされるように、ガイド部材２３をスライドさせる。記録紙Ｐは、このように位置決め片２３ａと位置決め部２ａとにより位置決めされ、図５に示すように、位置決め部２ａに当接する側端部が主走査方向の基準位置となるようにして給紙トレイ２に装填される。
【００２１】
ここで、この画像形成装置１では、上記のようにガイド部材２３がスライドされるに伴い、ガイド部材２３の差込突起２３ｂが筐体６に係合することにより、給紙トレイ２が回動しないようにロックされるように構成されている。図５に示すように、筐体６の開口部６ａは、給紙トレイ２の側縁形状と略同じ矩形形状に形成されている。給紙トレイ２が開状態であるとき、差込突起２３ｂは、開口部６ａの内側面のうち、位置決め部２ａとは反対側の内側面に向くように構成されている。この開口部６ａの内側面には、給紙トレイ２が開状態のときに、差込突起２３ｂに対向するように形成された嵌入孔（被係合部）６ｂが設けられている。
【００２２】
以下、給紙トレイ２のロック動作について図６（ａ）、（ｂ）を参照しつつ説明する。図６（ａ）、（ｂ）は、給紙トレイ２のガイド部材２３が設けられている部位を上方から示す。本実施形態において、給紙トレイ２は、開状態のときにロック可能になる。すなわち、給紙トレイ２が開状態であり、記録紙Ｐが装填されていないときには、図６（ａ）に示すように、ガイド部材２３がばね２４により付勢されて位置決め部２ａ側に位置している。そして、この状態では、差込突起２３ｂの先端部は嵌入孔６ｂから離れている。すなわち、記録紙Ｐが装填されていない状態では、給紙トレイ２は筐体６に対し回動軸２１で軸支されているだけであるので、ユーザの操作により給紙トレイ２を回動させて、図に点線で示すように、閉状態にすることが可能である。
【００２３】
一方、上記のようにガイド部材２３をスライドさせ、記録紙Ｐを位置決めして装填したときには、図６（ｂ）に示すように、差込突起２３ｂの先端部が嵌入孔６ｂに嵌入した状態になる。このように、給紙トレイ２に記録紙Ｐが装填されている状態では、差込突起２３ｂが嵌入孔６ｂに、給紙トレイ２の回動面に略垂直な方向に嵌入しているので、給紙トレイ２が回動不能になり、給紙トレイ２に回動させる力が加わっても、給紙トレイ２が変位しなくなる。なお、給紙トレイ２が回動不能にロックされているときに、装填されている記録紙Ｐが取り除かれると、ばね２４の付勢力により、図６（ａ）の矢印で示すようにガイド部材２３が位置決め部２ａ側にスライドすることにより、差込突起２３ｂの先端部が嵌入孔６ｂから離れ、給紙トレイ２が再び回動して開閉可能な状態になる。
【００２４】
このように、本実施形態においては、給紙トレイ２に記録紙Ｐが装填されている状態では、ガイド部材２３の差込突起２３ｂが筐体６の嵌入孔６ｂに嵌入して給紙トレイ２が回動しないようにロックされる。従って、記録紙Ｐの給紙動作時に、例えば給紙ローラ２５に高負荷がかかっても、給紙トレイ２が開状態から回動することがなくなり、例えば厚めでコシが強い記録紙Ｐ等も確実に給紙可能になる。また、ガイド部材２３は、ばねに２４より付勢されているので、記録紙Ｐを給紙トレイ２から取り除いた状態では、差込突起２３ｂが嵌入孔６ｂから離れて給紙トレイ２が回動可能になるので、画像形成装置１を容易に収納することが可能になる。
【００２５】
なお、本発明は上記実施形態の構成に限定されるものではなく、発明の趣旨を変更しない範囲で適宜に種々の変形が可能である。例えば、給紙トレイには、ガイド部材が、記録紙の両側端部を位置決めするように略左右対称に２つ配置されていてもよい。また、ガイド部材はばねに付勢されていなくてもよく、ユーザの操作により変位されることにより、給紙トレイのロック及びロック解除が行われるように構成されていてもよい。さらにまた、給紙トレイは、上記のような差込突起２３ｂと嵌入孔６ｂとが係合することによりロックされるような構成に限られず、ガイド部材から突設された係合部が係合部と対向するように開口部の内側面に形成された被係合部に係合することにより、ロックされるように構成されていればよい。すなわち、本発明においては、給紙トレイが開状態のとき、ガイド部材が変位してガイド部材の係合部が筐体側の開口部の被係合部に係合されて給紙トレイがロックされることにより、給紙時に給紙ローラに高負荷がかかっても、給紙トレイが回動することがなく、確実に記録紙を給紙することが可能になる。
【図面の簡単な説明】
【００２６】
【図１】本発明の一実施形態に係る画像形成装置の一例を示す斜視図。
【図２】上記装置を示す側面図。
【図３】上記装置の給紙トレイを示す斜視図。
【図４】上記装置の給紙トレイに記録紙が装填されていない状態を示す斜視図。
【図５】上記給紙トレイに記録紙が装填されている状態を示す斜視図。
【図６】（ａ）は給紙トレイに記録紙が装填されていない状態を示す図、（ｂ）は上記給紙トレイに記録紙が装填されている状態を示す図。
【符号の説明】
【００２７】
１  画像形成装置
２  給紙トレイ
２ａ  位置決め部
３  搬送機構
４  画像形成部
５  排紙トレイ
６  筐体
６ａ  開口部
６ｂ  嵌入孔（被係合部）
２１  回動軸
２３  ガイド部材
２３ｂ  差込突起（係合部）
２５  給紙ローラ
３０  フィードモータ（モータ）
Ｐ  記録紙
【図１】
2008105807.tif 000003
【図２】
2008105807.tif 000004
【図３】
2008105807.tif 000005
【図４】
2008105807.tif 000006
【図５】
2008105807.tif 000007
【図６】
2008105807.tif 000008